(57)【特許請求の範囲】
【請求項１】
住戸の窓やドア若しくはその付近に設置される防犯センサ（３）に伝送線路（Ｌ2）を介して接続されるとともに住戸内に設置されて前記防犯センサの防犯警戒設定および防犯警戒設定解除機能を有するインターホン親機（１）を備え、
前記インターホン親機は、前記防犯警戒設定および前記防犯警戒設定解除の入力画面を表示するためのＬＣＤ等で構成されるモニタユニット（１０）と、前記モニタユニットの画面に対応して座標が設定され、前記防犯警戒設定および前記防犯警戒設定解除の入力をタッチ操作で行うためのタッチパネルユニット（１１）と、前記防犯警戒設定中に前記住戸内への不審者等の侵入を検出した場合に警報音を発生するための警報音発生回路（１５）と、前記警報音を前記住戸内に鳴動するための親機スピーカ（１２）と、前記防犯警戒設定解除の入力中に前記タッチパネルユニットに対する前記タッチ操作の複数座標データおよび順序を予め記憶するためのメモリ回路（１８）と、前記防犯警戒設定および前記防犯警戒設定解除並びに前記不審者等の侵入を検出した場合の警報発報を制御し、前記モニタユニットに表示された前記防犯警戒設定解除の入力画面に対応して前記タッチパネルユニットで前記複数座標を前記順序でタッチ操作して前記メモリ回路に記憶された前記複数座標データおよび順序と一致したとき前記防犯警戒設定を解除するためのＣＰＵ回路（１４）とを有し、
前記モニタユニットの画面は、前記防犯警戒設定時に、前記タッチパネルユニットでのタッチ操作により前記ＣＰＵ回路からの画面表示制御信号（Ｓ20）をもとに前記防犯警戒設定の入力画面に切換えられ、
前記防犯警戒設定後に、前記タッチパネルユニットでタッチ操作をすると、前記ＣＰＵ回路は、防犯警戒状態となり前記防犯センサを監視するとともに、画面表示制御信号（Ｓ21）をもとに前記防犯設定の入力画面を防犯警戒設定解除の入力画面に切換え、
前記防犯警戒設定解除の入力画面は、前記防犯センサからの異常検出信号（Ｓ30）を検出した前記ＣＰＵ回路からの画面表示制御信号（Ｓ22）をもとに警報の報知画面に切換えられることを特徴とするインターホン装置。
【請求項２】
前記インターホン親機は、前記住戸内の警報発生を外部の警備会社等の管理センターへ通報するための外部通報装置（４）に伝送線路（Ｌ3）を介して接続されることを特徴とする請求項１記載のインターホン装置。
【請求項３】
前記インターホン親機は、戸外に設置され前記警報音を鳴動するインターン子機（２）に伝送線路（Ｌ1）を介して接続されることを特徴とする請求項１記載のインターホン装置。
【発明の詳細な説明】
【０００１】
【発明の属する技術分野】
本発明はインターホン装置に係り、住戸の窓やドア若しくはその付近に設置される防犯センサの防犯警戒設定を解除する際のセキュリティを向上させたインターホン装置に関する。
【０００２】
【従来の技術】
従来から、この種のインターホン装置として、図４の構成図に示すインターホン装置が提案されている。
【０００３】
同図に示すインターホン装置において、住戸内に設置されるインターホン親機１０１には、各伝送線路Ｌ101、Ｌ102、Ｌ103を介して戸外に設置されるインターホン子機１０２、住戸の窓やドア若しくはその付近に設置される防犯センサ１０３、住戸内に設置される外部通報装置１０４がそれぞれ接続されている。また、外部通報装置１０４には、公衆回線をなす電話回線Ｌ104、公衆網１０５、電話回線Ｌ105を介して警備会社等の管理センターに設置される管理センター端末１０６が接続されている。
【０００４】
インターホン親機１０１は、防犯センサ１０３を防犯警戒設定または防犯警戒設定解除するためのシーソスイッチやトグルスイッチ等で構成される切換スイッチ１１０と、防犯警戒設定中に発生した住戸内への不審者等の侵入を点滅表示により住戸内に警報発報するためのＬＥＤ等で構成される警報表示ランプ１１１と、前述の警報発生を警報音の鳴動により住戸内に警報発報するための親機スピーカ１１２と、住戸内に在室中の居住者が戸外に居る来訪者との通話を成立させるために用いるマイク１１３ａ、レシーバ１１３ｂを内蔵したハンドセット１１３とを有し、親機スピーカ１１２では、戸外に居る来訪者からの呼出しを住戸内に呼出発報するための呼出音も鳴動される。
【０００５】
インターホン子機１０２は、戸外に居る来訪者が住戸内に在室中の居住者を呼出すために押下操作する呼出ボタン１２０と、戸外に居る来訪者が住戸内に在室中の居住者との通話を成立させるために用いる子機マイク１２１、子機スピーカ１２２とを有し、子機スピーカ１２２では、防犯警戒設定中に発生した住戸内への不審者等の侵入を戸外に警報発報するための警報音も鳴動される。
【０００６】
このように構成されたインターホン装置において、居住者が外出等で住戸内を不在とする前に、インターホン親機１０１の切換スイッチ１１０を切換えると、この操作を検出したインターホン親機１０１は防犯警戒状態となり、防犯センサ１０３を監視する。
【０００７】
上述の防犯警戒設定時において、不審者等の住戸内への侵入を防犯センサ１０３が検出すると、伝送線路Ｌ102を介してインターホン親機１０１に異常検出信号が送出される。インターホン親機１０１は、防犯センサ１０３からの異常検出信号を検出し警報発報状態となり、警報表示ランプ１１１を点滅、例えば赤色に点滅させるとともに親機スピーカ１１２にて警報音を鳴動させることにより住戸内に警報発報し、かつ伝送線路Ｌ101を介してインターホン子機１０２に警報音信号を送出する。インターホン子機１０２は、警報発報状態のインターホン親機１０１からの警報音信号を適宜に信号処理し、子機スピーカ１２２にて警報音を鳴動させることにより戸外に警報発報する。
【０００８】
また、警報発報状態のインターホン親機１０１は、防犯センサ１０３からの異常検出信号が検出された時点より計時を開始し、一定時間の経過後において伝送線路Ｌ103を介して外部通報装置１０４に警報発生信号を送出する。外部通報装置１０４は、警報発報状態のインターホン親機１０１からの警報発生信号に警備会社等の管理センターへの通報先情報を含有させた警報通報信号を、電話回線Ｌ104、公衆網１０５、電話回線Ｌ105を介して当該警備会社等の管理センターに設置される管理センター端末１０６に送出する。管理センター端末１０６は、外部通報装置１０４からの警報通報信号を適宜に信号処理し、モニタ等（図示せず）に文字情報や絵情報を表示させることにより警報発報する。
【０００９】
尚、警報発報状態のインターホン親機１０１が計時中の一定時間内において、切換スイッチ１１０の切換えにより防犯警戒設定が解除されると、管理センター端末１０６への警報通報は行われない。
【００１０】
【発明が解決しようとする課題】
しかしながら、従来のインターホン装置において、防犯センサ１０３の防犯警戒設定および防犯警戒設定解除は、インターホン親機１０１の切換スイッチ１１０の切換えで容易に可能であることから、住戸内に侵入した不審者等が防犯警戒設定解除の操作方法を知り得る場合、警報発報状態のインターホン親機１０１から警備会社等の管理センターに設置される管理センター端末１０６へ警報通報される前に防犯センサ１０３の防犯警戒設定を容易に解除でき、セキュリティの確保が困難であった。
【００１１】
本発明は、上述の難点を解消するためになされたもので、防犯センサの防犯警戒設定解除を、住戸内に侵入した不審者等が知り得ない所定の操作方法により可能とし、セキュリティを向上させたインターホン装置を提供することを目的とする。
【００１２】
【課題を解決するための手段】
このような目的を達成するため、本発明によるインターホン装置は、住戸の窓やドア若しくはその付近に設置される防犯センサに伝送線路を介して接続されるとともに住戸内に設置されて防犯センサの防犯警戒設定および防犯警戒設定解除機能を有するインターホン親機を備え、インターホン親機は、防犯警戒設定および防犯警戒設定解除の入力画面を表示するためのＬＣＤ等で構成されるモニタユニットと、モニタユニットの画面に対応して座標が設定され、防犯警戒設定および防犯警戒設定解除の入力をタッチ操作で行うためのタッチパネルユニットと、防犯警戒設定中に住戸内への不審者等の侵入を検出した場合に警報音を発生するための警報音発生回路と、警報音を住戸内に鳴動するための親機スピーカと、防犯警戒設定解除の入力中にタッチパネルユニットに対するタッチ操作の複数座標データおよび順序を予め記憶するためのメモリ回路と、防犯警戒設定および防犯警戒設定解除並びに不審者等の侵入を検出した場合の警報発報を制御し、モニタユニットに表示された防犯警戒設定解除の入力画面に対応してタッチパネルユニットで複数座標を順序でタッチ操作してメモリ回路に記憶された複数座標データおよび順序と一致したとき防犯警戒設定を解除するためのＣＰＵ回路とを有しており、モニタユニットの画面は、防犯警戒設定時に、タッチパネルユニットでのタッチ操作によりＣＰＵ回路からの画面表示制御信号をもとに防犯警戒設定の入力画面に切換えられ、防犯警戒設定後に、タッチパネルユニットでタッチ操作をすると、ＣＰＵ回路は、防犯警戒状態となり防犯センサを監視するとともに、画面表示制御信号をもとに防犯設定の入力画面を防犯警戒設定解除の入力画面に切換え、防犯警戒設定解除の入力画面は、防犯センサからの異常検出信号を検出したＣＰＵ回路からの画面表示制御信号をもとに警報の報知画面に切換えられることを特徴としている。
【００１３】
また、本発明によるインターホン装置をなすインターホン親機は、住戸内の警報発生を外部の警備会社等の管理センターへ通報するための外部通報装置に伝送線路を介して接続されることを特徴としている。
【００１４】
また、本発明によるインターホン装置をなすインターホン親機は、戸外に設置され警報音を鳴動するインターン子機に伝送線路を介して接続されることを特徴としている。
【００１５】
このようなインターホン装置によれば、インターホン親機のモニタユニットに表示される防犯警戒設定解除の入力画面に対応して、タッチ操作する座標をタッチパネルユニットに設定し、メモリ回路には防犯警戒設定解除の入力中にタッチパネルユニットに対するタッチ操作の複数座標データおよび住戸内に侵入した不審者等が知り得ない所定の順序（操作順序）を予め記憶させておき、定期的に更新することにより、防犯センサの防犯警戒設定解除は、タッチパネルユニットにてタッチ操作される複数座標および順序とメモリ回路に記憶された複数座標データおよび順序とが一致した場合にのみＣＰＵ回路の制御により可能となりセキュリティが向上される。
【００１６】
【発明の実施の形態】
以下、本発明によるインターホン装置を適用した好ましい形態の一実施例について、図面を参照して説明する。
【００１７】
図１は、本発明の一実施例によるインターホン装置の構成図であり、住戸内に設置されるインターホン親機１には、各伝送線路Ｌ1、Ｌ2、L3を介して戸外に設置されるインターホン子機２、住戸の窓やドア若しくはその付近に設置される防犯センサ３、住戸内に設置される外部通報装置４がそれぞれ接続されている。また、外部通報装置４には、公衆回線をなす電話回線Ｌ4、公衆網５、電話回線Ｌ5を介して警備会社等の管理センターに設置される管理センター端末６が接続されている。
【００１８】
インターホン親機１は、防犯センサ３の防犯警戒設定および防犯警戒設定解除の入力画面等を表示するためのＬＣＤ等で構成されるモニタユニット１０と、モニタユニット１０の画面に対応して座標が設定され、防犯警戒設定および防犯警戒設定解除の入力等をタッチ操作で行うためのタッチパネルユニット１１と、防犯警戒設定中に発生した住戸内への不審者等の侵入を警報音の鳴動により住戸内に警報発報する親機スピーカ１２と、住戸内に在室中の居住者が戸外に居る来訪者との通話を成立させるために用いるマイク１３ａ、レシーバ１３ｂを内蔵したハンドセット１３とを有し、親機スピーカ１２では、戸外に居る来訪者からの呼出しを住戸内に呼出発報するための呼出音も鳴動される。
【００１９】
インターホン子機２は、従来のインターホン装置をなすインターホン子機１０２と同様な構成であり、戸外に居る来訪者が住戸内に在室中の居住者を呼出すために押下操作する呼出ボタン３０と、戸外に居る来訪者が住戸内に在室中の居住者との通話を成立させるために用いる子機マイク３１、子機スピーカ３２とを有し、子機スピーカ３２では、防犯警戒設定中に発生した住戸内への不審者等の侵入を戸外に警報発報するための警報音も鳴動される。
【００２０】
図２は、インターホン親機１の具体的な構成を示す回路ブロック図であり、図１の構成図に示すモニタユニット１０、タッチパネルユニット１１、親機スピーカ１２、ハンドセット１３と、当該インターホン親機の各種動作（防犯センサ防犯警戒設定および防犯警戒設定解除、警報発報、外部通報、呼出検出、呼出発報、通話、計時等）を制御するためのＣＰＵ回路１４と、ＣＰＵ回路１４の制御（警報発報制御）により能動とされ、警報音（以下、警報音信号と称す）を発生するための警報音発生回路１５と、ＣＰＵ回路１４の制御（呼出発報制御）により能動とされ、呼出音（以下、呼出音信号と称す）を発生するための呼出音発生回路１６と、警報音発生回路１５からの警報音信号、呼出音発生回路１６からの呼出音信号をそれぞれ増幅し親機スピーカ１２にて警報音、呼出音を鳴動させるためのスピーカアンプ１７と、ＣＰＵ回路１４により制御され、防犯警戒設定解除の入力中のタッチパネルユニット１１に対するタッチ操作の複数座標データおよび順序（操作順序）を予め記憶するためのメモリ回路１８と、ハンドセット１３のマイク１３ａに収音される住戸内に在室中の居住者からの送話音をなす音声信号を増幅するためのマイクアンプ１９と、戸外に居る来訪者からの音声信号を増幅しハンドセット１３のレシーバ１３ｂにて受話音を鳴動させるためのレシーバアンプ２０と、モニタユニット１０とＣＰＵ回路１４との間の信号伝送路を形成するためのモニタユニットインターフェース回路（以下、インターフェース回路についてはＩ／Ｆ回路と称す）２１と、タッチパネルユニット１１とＣＰＵ回路１４との間の信号伝送路を形成するためのタッチパネルユニットＩ／Ｆ回路２２と、伝送線路Ｌ1を介してインターホン子機２に接続される子機接続端子Ｐ1とＣＰＵ回路１４、警報音発生回路１５、マイクアンプ１９、レシーバアンプ２０との間の信号伝送路をそれぞれ形成するための子機Ｉ／Ｆ回路２３と、伝送線路Ｌ2を介して防犯センサ３に接続されるセンサ接続端子Ｐ2とＣＰＵ回路１４との間の信号伝送路を形成するための防犯センサＩ／Ｆ回路２４と、伝送線路Ｌ3を介して外部通報装置４に接続される外部通報接続端子Ｐ3とＣＰＵ回路１４との間の信号伝送路を形成するための外部通報Ｉ／Ｆ回路２５とを有する。
【００２１】
このように構成された本発明の一実施例によるインターホン装置において、以下、その動作について説明する。尚、本実施例では、戸外に居る来訪者が住戸内に在室中の居住者を呼出して通話を成立させる動作についての説明は省略する。
【００２２】
居住者が外出等で住戸内を不在とする前に、インターホン親機１のモニタユニット１０に予め表示されている基本メニューの画面上の防犯警戒設定起動部（図示せず）に対応して座標が設定されたタッチパネルユニット１１の有効ゾーン（図示せず）をタッチ操作すると、タッチ操作された有効ゾーンの座標データＳ1がタッチパネルユニットＩ／Ｆ回路２２を介してＣＰＵ回路１４に送出される。タッチパネルユニット１１からの座標データＳ1に基づき居住者による防犯警戒設定起動操作を検出したＣＰＵ回路１４は、モニタユニット１０に防犯警戒設定の入力画面（図示せず）を表示させるための画面表示制御信号Ｓ20を、モニタユニットＩ／Ｆ回路２１を介して当該モニタユニットに送出する。ＣＰＵ回路１４からの画面表示制御信号Ｓ20を検出したモニタユニット１０は、表示する当該画面を基本メニューの画面から防犯警戒設定の入力画面に切換える。
【００２３】
次に、インターホン親機１のモニタユニット１０に表示されている防犯警戒設定の入力画面を確認した居住者が、当該防犯警戒設定の入力画面上の防犯警戒設定部（図示せず）に対応して座標が設定されたタッチパネルユニット１１の有効ゾーン（図示せず）をタッチ操作すると、タッチ操作された有効ゾーンの座標データＳ2がタッチパネルユニットＩ／Ｆ回路２２を介してＣＰＵ回路１４に送出される。タッチパネルユニット１１からの座標データＳ2に基づき居住者による防犯警戒設定操作を検出したＣＰＵ回路１４は防犯警戒状態となり、防犯センサ３を監視するとともに、モニタユニット１０に図３の構成図に示す防犯警戒設定解除の入力画面を表示させるための画面表示制御信号Ｓ21を、モニタユニットＩ／Ｆ回路２１を介して当該モニタユニットに送出する。ＣＰＵ回路１４からの画面表示制御信号Ｓ21を検出したモニタユニット１０は、表示する当該画面を防犯警戒設定の入力画面から図３の構成図に示す防犯警戒設定解除の入力画面に切換える。
【００２４】
尚、インターホン親機１のモニタユニット１０に表示される図３の構成図に示す防犯警戒設定解除の入力画面は、複数、ここでは５つの鍵のイラストＫ1、Ｋ2、Ｋ3、Ｋ4、Ｋ5等で構成され、タッチパネルユニット１１には、各イラストＫ1、Ｋ2、Ｋ3、Ｋ4、Ｋ5をタッチ操作するための有効ゾーンＺ1、Ｚ2、Ｚ3、Ｚ4、Ｚ5に対応して座標（座標データ）が設定されている。また、インターホン親機１のメモリ回路１８には、タッチパネルユニット１１の有効ゾーンＺ1、Ｚ2、Ｚ3、Ｚ4、Ｚ5に対応して設定された座標データと、当該有効ゾーンをタッチ操作する順序（操作順序）、ここではＺ1→Ｚ2→Ｚ3→Ｚ4→Ｚ5の順序データとが予め記憶されている。
【００２５】
次に、上述の防犯警戒設定時において、不審者等の住戸内への侵入を防犯センサ３が検出すると、伝送線路Ｌ2、インターホン親機１のセンサ接続端子Ｐ2、防犯センサＩ／Ｆ回路２４を介してＣＰＵ回路１４に異常検出信号Ｓ30が送出される。防犯センサ３からの異常検出信号Ｓ30を検出したＣＰＵ回路１４は、警報発報状態となり、モニタユニット１０に警報の報知画面（図示せず）を表示させるための画面表示制御信号Ｓ22を、モニタユニットＩ／Ｆ回路２１を介して当該モニタユニットに送出するとともに、警報音発生回路１５を能動とする。ＣＰＵ回路１４からの画面表示制御信号Ｓ22を検出したモニタユニット１０は、表示する当該画面を図３の構成図に示す防犯警戒設定解除の入力画面から警報の報知画面に切換える。ＣＰＵ回路１４の制御（警報発報制御）により能動とされた警報音発生回路１５は、警報音信号Ｓ40を発生し、この警報音信号Ｓ40はスピーカアンプ１７を介して増幅され親機スピーカ１２にて警報音を鳴動させることにより住戸内に警報発報するとともに、子機Ｉ／Ｆ回路２３、子機接続端子Ｐ1、伝送線路Ｌ1を介してインターホン子機２に伝送される。インターホン子機２は、インターホン親機１の警報音発生回路１５からの警報音信号Ｓ40を適宜に信号処理し、子機スピーカ３２にて警報音を鳴動させることにより戸外に警報発報する。
【００２６】
また、インターホン親機１の警報発報状態をなすＣＰＵ回路１４は、防犯センサ３からの異常検出信号Ｓ30が検出された時点より計時を開始し、一定時間経過後において外部通報Ｉ／Ｆ回路２５、外部通報接続端子Ｐ3、伝送線路Ｌ3を介して外部通報装置４に警報発生信号Ｓ50を送出する。外部通報装置４は、インターホン親機１のＣＰＵ回路１４からの警報発生信号Ｓ50に警備会社等の管理センターへの通報先情報を含有させた警報通報信号Ｓ51を、電話回線Ｌ4、公衆網５、電話回線Ｌ5を介して当該警備会社等の管理センターに設置される管理センター端末６に送出する。管理センター端末６は、外部通報装置４からの警報通報信号Ｓ51を適宜に信号処理し、モニタ（図示せず）に文字情報や絵情報を表示させることにより警報発報する。
【００２７】
次に、上述の警報発報を確認した居住者が、当該警報発報を停止させ防犯センサ３の防犯警戒設定を解除するために、インターホン親機１のモニタユニット１０に表示されている警報の報知画面上の防犯警戒設定解除起動部（図示せず）に対応して座標が設定されたタッチパネルユニット１１の有効ゾーン（図示せず）をタッチ操作すると、タッチ操作された有効ゾーンの座標データＳ3がタッチパネルユニットＩ／Ｆ回路２２を介してＣＰＵ回路１４に送出される。タッチパネルユニット１１からの座標データＳ3に基づき居住者による防犯警戒設定解除起動操作を検出したＣＰＵ回路１４は、モニタユニット１０に図３の構成図に示す防犯警戒設定解除の入力画面を表示させるための画面表示制御信号Ｓ23を、モニタユニットＩ／Ｆ回路２１を介して当該モニタユニットに送出する。ＣＰＵ回路１４からの画面表示制御信号Ｓ23を検出したモニタユニット１０は、表示する当該画面を警報の報知画面から図３の構成図に示す防犯警戒設定解除の入力画面に切換える。
【００２８】
尚、居住者による防犯警戒設定解除起動操作時において、インターホン親機１の警報音発生回路１５は、ＣＰＵ回路１４の制御により能動状態が保持され、住戸内に警報発報する親機スピーカ１２および戸外に警報発報するインターホン子機２の子機スピーカ３２では警報音が継続して鳴動されている。
【００２９】
次に、インターホン親機１のモニタユニット１０に表示されている図３の構成図に示す防犯警戒設定解除の入力画面を確認した居住者が、当該防犯警戒設定解除の入力画面上の５つの鍵のイラストＫ1、Ｋ2、Ｋ3、Ｋ4、Ｋ5に対応して座標が設定されたタッチパネルユニット１１の有効ゾーンＺ1、Ｚ2、Ｚ3、Ｚ4、Ｚ5を、メモリ回路１８に予め記憶されている順序、即ち、Ｚ1→Ｚ2→Ｚ3→Ｚ4→Ｚ5の順序でタッチ操作すると、タッチ操作された有効ゾーンＺ1、Ｚ2、Ｚ3、Ｚ4、Ｚ5の座標データＳ11、Ｓ12、Ｓ13、Ｓ14、Ｓ15がタッチパネルユニットＩ／Ｆ回路２２を介してＣＰＵ回路１４に順次送出される。ＣＰＵ回路１４は、タッチパネルユニット１１からの座標データＳ11、Ｓ12、Ｓ13、Ｓ14、Ｓ15とメモリ回路１８に予め記憶されていた座標データ、順序データとを順次照合し、全て有効ゾーンＺ1、Ｚ2、Ｚ3、Ｚ4、Ｚ5内にありタッチ操作された順序が一致した場合（Ｚ1→Ｚ2→Ｚ3→Ｚ4→Ｚ5）にのみ居住者による防犯警戒設定解除操作を検出する。また、居住者による防犯警戒設定解除操作を検出したＣＰＵ回路１４は、防犯センサ３の防犯警戒設定を解除するとともに、モニタユニット１０に防犯警戒設定解除の確認画面（図示せず）を表示させるための画面表示制御信号Ｓ24を、モニタユニットＩ／Ｆ回路２１を介して当該モニタユニットに送出し、かつ警報音発生回路１５を非能動とする。ＣＰＵ回路１４からの画面表示制御信号Ｓ24を検出したモニタユニット１０は、表示する当該画面を図３の構成図に示す防犯警戒設定解除の入力画面から防犯警戒設定解除の確認画面に切換える。ＣＰＵ回路１４の制御により警報音発生回路１５が非能動となると、住戸内に警報発報する親機スピーカ１２および戸外に警報発報するインターホン子機２の子機スピーカ３２での警報音の鳴動は停止される。
【００３０】
【発明の効果】
以上の説明から明らかなように、本発明のインターホン装置によれば、インターホン親機のモニタユニットに表示される防犯警戒設定解除の入力画面に対応して、タッチ操作する座標をタッチパネルユニットに設定し、メモリ回路には防犯警戒設定解除の入力中にタッチパネルユニットに対するタッチ操作の複数座標データおよび住戸内に侵入した不審者等が知り得ない所定の順序（操作順序）を予め記憶させておき、定期的に更新することにより、防犯センサの防犯警戒設定解除は、タッチパネルユニットにてタッチ操作される複数座標および順序とメモリ回路に記憶された複数座標データおよび順序とが一致した場合にのみＣＰＵ回路の制御により可能となりセキュリティが向上される。
【図面の簡単な説明】
【図１】  本発明の一実施例によるインターホン装置の構成図である。
【図２】  本発明の一実施例によるインターホン装置をなすインターホン親機の具体的な構成を示す回路ブロック図である。
【図３】  本発明の一実施例によるインターホン装置をなすインターホン親機のモニタユニットに表示される防犯警戒設定解除の入力画面の一例を示す構成図である。
【図４】  従来のインターホン装置の構成図である。
【符号の説明】
１……インターホン親機
２……インターホン子機
３……防犯センサ
４……外部通報装置
１０……モニタユニット
１１……タッチパネルユニット
１２……親機スピーカ
１４……ＣＰＵ回路
１５……警報音発生回路
１８……メモリ回路
Ｌ1、Ｌ2、Ｌ3……伝送線路
Ｓ20、Ｓ21、Ｓ22……画面表示制御信号
Ｓ30……異常検出信号
【図１】
0004257021.tif 000002
【図２】
0004257021.tif 000003
【図３】
0004257021.tif 000004
【図４】
0004257021.tif 000005